(57)【特許請求の範囲】
【請求項１】
プラグコネクタとジャックコネクタからなるコネクタであって、
前記プラグコネクタには、板状のプラグ部接地電極と、各々電気信号を伝達するための複数のプラグ端子部を有しており、２つの前記プラグ端子部が一対として配列されているものであって、
前記ジャックコネクタには、板状のジャック部接地電極と、各々電気信号を伝達するための複数のジャック端子部を有しており、２つの前記ジャック端子部が一対として配列されているものであって、
前記プラグ端子部に設けられた１本の棒状のプラグ端子接続部と、前記ジャック端子部に設けられた１本の棒状のジャック端子接続部とが接触することにより、前記プラグコネクタと前記ジャックコネクタとが接続されるものであって、
一対として配列されている前記ジャック端子接続部は、一対として配列されている前記プラグ端子接続部が対向している内側部分で接触するものであって、
前記プラグコネクタは、一対のプラグ端子部が同一平面上に複数配列されているプラグユニットを有しており、
前記プラグユニットが複数積層されていることを特徴とするコネクタ。
【請求項２】
前記ジャック端子接続部は、棒状に形成された棒状部と、各々前記プラグ端子接続部と接触する側に設けられた接点部を有しており、
前記プラグコネクタと前記ジャックコネクタとを接続した際には、前記棒状部のバネ性により、前記ジャック端子接続部における前記接点部は、前記プラグ端子接続部の側に、押さえつけられるように接触するものであることを特徴とする請求項１に記載のコネクタ。
【請求項３】
前記ジャック部接地電極には、複数の接地電極端子が設けられており、
前記プラグコネクタと前記ジャックコネクタとを接続した際には、前記接地電極端子が、前記プラグ部接地電極と接触するものであって、
前記接地電極端子は、相互に長さが異なるものであることを特徴とする請求項１または２に記載のコネクタ。
【請求項４】
前記プラグコネクタと前記ジャックコネクタの接続の際には、前記ジャック端子接続部は、前記プラグ部接地電極の面に略平行に移動することにより接続されるものであることを特徴とする請求項１から３のいずれかに記載のコネクタ。
【請求項５】
プラグコネクタとジャックコネクタからなるコネクタであって、
前記プラグコネクタには、板状のプラグ部接地電極と、各々電気信号を伝達するための複数のプラグ端子部を有しており、２つの前記プラグ端子部が一対として配列されているものであって、
前記ジャックコネクタには、板状のジャック部接地電極と、各々電気信号を伝達するための複数のジャック端子部を有しており、２つの前記ジャック端子部が一対として配列されているものであって、
前記プラグ端子部に設けられた１本の棒状のプラグ端子接続部と、前記ジャック端子部に設けられた１本の棒状のジャック端子接続部とが接触することにより、前記プラグコネクタと前記ジャックコネクタとが接続されるものであって、
一対として配列されている前記ジャック端子接続部は、一対として配列されている前記プラグ端子接続部が対向している内側部分で接触するものであって、
前記ジャックコネクタは、一対のジャック端子部が同一平面上に複数配列されているジャックユニットを有しており、
前記ジャックユニットが複数積層されていることを特徴とするコネクタ。
【請求項６】
前記ジャックコネクタは、一対のジャック端子部が同一平面上に複数配列されているジャックユニットを有していることを特徴とする請求項１から４のいずれかに記載のコネクタ。
【請求項７】
前記ジャックユニットが複数積層されていることを特徴とする請求項６に記載のコネクタ。
【請求項８】
前記ジャック端子部において、前記ジャック端子接続部が設けられている端部と反対側の端部は、基板またはケーブルと接続されていることを特徴とする請求項６または７に記載のコネクタ。
【請求項９】
前記プラグ部接地電極及び前記ジャック部接地電極には、接地電位に代えて、所定の電源電圧が印加されるものであることを特徴とする請求項１から８のいずれかに記載のコネクタ。
【発明の詳細な説明】
【技術分野】
【０００１】
本発明は、コネクタに関する。
【背景技術】
【０００２】
電子装置及び電子機器等を電気的に接続し、電気信号等の伝達を行なうための接続部材としてコネクタが用いられている。このようなコネクタとしては、用途に応じて様々な種類のものがあり、各々の用途に応じて使い分けられている。例えば、高周波の信号伝達に対応するために、高周波対応のコネクタ等がある。
【０００３】
このような高周波に対応したコネクタとして、特許文献１では、コネクタを通るインピーダンスの不連続正を最小化した高速データ転送接続のためのコネクタが開示されている。
【先行技術文献】
【特許文献】
【０００４】
【特許文献１】特開２００５−００５２７２号公報
【発明の概要】
【発明が解決しようとする課題】
【０００５】
ところで、高周波信号は、様々なノイズ等の影響を受け易く、特に、高周波用コネクタにおいて、接地（ＧＮＤ）端子と信号端子との位置関係が変化すると、信号端子における特性インピーダンスに影響を与え、伝送される信号の劣化及び損失等が増大し、高速の信号伝送に悪影響を及ぼしてしまう。また、高周波コネクタの多くは、伝送速度を向上させるため、複数の接続端子が設けられており、接続端子をできる限り高密度に配置することができ、コネクタを小型化できるものが望まれている。
【０００６】
本発明は、上記に鑑みてなされたものであり、高周波信号の伝送において、伝送される信号の劣化が少なく、また、高集積化可能な構造の高周波信号に対応したコネクタを提供することを目的とするものである。
【課題を解決するための手段】
【０００７】
本発明は、プラグコネクタとジャックコネクタからなるコネクタであって、前記プラグコネクタには、板状のプラグ部接地電極と、各々電気信号を伝達するための複数のプラグ端子部を有しており、２つの前記プラグ端子部が一対として配列されているものであって、前記ジャックコネクタには、板状のジャック部接地電極と、各々電気信号を伝達するための複数のジャック端子部を有しており、２つの前記ジャック端子部が一対として配列されているものであって、前記プラグ端子部に設けられた１本の棒状のプラグ端子接続部と、前記ジャック端子部に設けられた１本の棒状のジャック端子接続部とが接触することにより、前記プラグコネクタと前記ジャックコネクタとが接続されるものであって、一対として配列されている前記ジャック端子接続部は、一対として配列されている前記プラグ端子接続部が対向している内側部分で接触するものであって、前記プラグコネクタは、一対のプラグ端子部が同一平面上に複数配列されているプラグユニットを有しており、前記プラグユニットが複数積層されていることを特徴とする。
【０００８】
また、本発明は、前記ジャック端子接続部は、棒状に形成された棒状部と、各々前記プラグ端子接続部と接触する側に設けられた接点部を有しており、前記プラグコネクタと前記ジャックコネクタとを接続した際には、前記棒状部のバネ性により、前記ジャック端子接続部における前記接点部は、前記プラグ端子接続部の側に、押さえつけられるように接触するものであることを特徴とする。
【０００９】
また、本発明は、前記ジャック部接地電極には、複数の接地電極端子が設けられており、前記プラグコネクタと前記ジャックコネクタとを接続した際には、前記接地電極端子が、前記プラグ部接地電極と接触するものであって、前記接地電極端子は、相互に長さが異なるものであることを特徴とする。
【００１０】
また、本発明は、前記プラグコネクタと前記ジャックコネクタの接続の際には、前記ジャック端子接続部は、前記プラグ部接地電極の面に略平行に移動することにより接続されるものであることを特徴とする。
【００１１】
また、本発明は、前記プラグコネクタは、一対のプラグ端子部が同一平面上に複数配列されているプラグユニットを有していることを特徴とする。
【００１２】
また、本発明は、プラグコネクタとジャックコネクタからなるコネクタであって、前記プラグコネクタには、板状のプラグ部接地電極と、各々電気信号を伝達するための複数のプラグ端子部を有しており、２つの前記プラグ端子部が一対として配列されているものであって、前記ジャックコネクタには、板状のジャック部接地電極と、各々電気信号を伝達するための複数のジャック端子部を有しており、２つの前記ジャック端子部が一対として配列されているものであって、前記プラグ端子部に設けられた１本の棒状のプラグ端子接続部と、前記ジャック端子部に設けられた１本の棒状のジャック端子接続部とが接触することにより、前記プラグコネクタと前記ジャックコネクタとが接続されるものであって、一対として配列されている前記ジャック端子接続部は、一対として配列されている前記プラグ端子接続部が対向している内側部分で接触するものであって、前記ジャックコネクタは、一対のジャック端子部が同一平面上に複数配列されているジャックユニットを有しており、前記ジャックユニットが複数積層されていることを特徴とする。
【００１３】
また、本発明は、前記ジャックコネクタは、一対のジャック端子部が同一平面上に複数配列されているジャックユニットを有していることを特徴とする。
【００１４】
また、本発明は、前記ジャックユニットが複数積層されていることを特徴とする。
【００１５】
また、本発明は、前記ジャック端子部において、前記ジャック端子接続部が設けられている端部と反対側の端部は、基板またはケーブルと接続されていることを特徴とする。
【００１６】
また、本発明は、前記プラグ部接地電極及び前記ジャック部接地電極には、接地電位に代えて、所定の電源電圧が印加されるものであることを特徴とする。
【発明の効果】
【００１７】
本発明によれば、高周波信号の伝送において、伝送される信号の劣化が少なく、また、高集積化可能な構造の高周波信号に対応したコネクタを提供することができる。
【図面の簡単な説明】
【００１８】
【図１】第１の実施の形態におけるコネクタの斜視図
【図２】第１の実施の形態におけるプラグコネクタの説明図
【図３】第１の実施の形態におけるジャックコネクタの説明図
【図４】第１の実施の形態におけるジャックユニットの上面図
【図５】第１の実施の形態におけるジャックユニットの斜視図
【図６】第１の実施の形態におけるジャックユニットの構造図
【図７】スタブの説明図（１）
【図８】スタブの説明図（２）
【図９】第１の実施の形態におけるジャック端子接続部の説明図
【図１０】第１の実施の形態におけるジャックユニットの要部拡大上面図
【図１１】第１の実施の形態におけるジャックユニットの要部拡大斜視図
【図１２】第１の実施の形態におけるコネクタの接続状態を示す図
【図１３】第１の実施の形態におけるコネクタの接続状態を示す要部拡大上面図
【図１４】第１の実施の形態におけるコネクタの接続状態を示す要部拡大斜視図
【図１５】他のコネクタのジャック端子接続部の構造図
【図１６】他のコネクタの接続状態を示す要部拡大上面図
【図１７】他のコネクタの接続状態を示す要部拡大斜視図
【図１８】第１の実施の形態における他のジャックコネクタの斜視図
【図１９】第１の実施の形態における他のジャックコネクタの説明図
【図２０】第１の実施の形態における他のジャックユニットの上面図
【図２１】第１の実施の形態における他のジャックユニットの斜視図
【図２２】第１の実施の形態における他のジャックユニットの構造図
【図２３】第２の実施の形態におけるジャックコネクタの説明図
【図２４】第２の実施の形態におけるジャックユニットの上面図
【図２５】第２の実施の形態におけるジャックユニットの斜視図
【図２６】第２の実施の形態におけるジャックユニットの構造図
【図２７】第２の実施の形態におけるコネクタの接続状態を示す図
【発明を実施するための形態】
【００１９】
本発明を実施するための形態について、以下に説明する。
【００２０】
〔第１の実施の形態〕
（コネクタ）
最初に、本実施の形態におけるコネクタについて説明する。本実施の形態におけるコネクタは、一方のプラグコネクタと他方のジャックコネクタにより構成されており、プラグコネクタとジャックコネクタとを接続することにより、電子機器等を接続することができ、高速で電気信号を伝達することができる高周波に対応したコネクタである。
【００２１】
具体的には、図１に示すように、プラグコネクタ１０とジャックコネクタ２０とを有している。尚、図１（ａ）は、プラグコネクタ１０とジャックコネクタ２０との上面斜視図であり、図１（ｂ）は、裏面斜視図である。
【００２２】
（プラグコネクタ）
図２に示されるように、プラグコネクタ１０は、ハウジング１１と複数のプラグユニット１２により構成されている。プラグユニット１２は、金属板により形成されているＧＮＤ部（接地部）１３と、樹脂材料等により形成されている絶縁体部１４、電極端子となる複数のプラグ端子部１５及び１６を有している。２本のプラグ端子部１５及び１６は一対として配置されており、各々のプラグ端子部１５及び１６は、異なる電気信号を伝達することが可能である。図では、一例として、プラグ端子部１５及び１６を三対有しているものが示されている。ＧＮＤ部１３とプラグ端子部１５及び１６とは、絶縁体部１４により絶縁されており、プラグ端子部１５及び１６の一方の端部は、後述するジャック端子部と接続される１本の棒状に形成されたプラグ端子接続部１７及び１８を有している。また、２本のプラグ端子部１５及び１６の他方の端部は不図示の電極端子が設けられており、後述する基板１９と接続されている。
【００２３】
（ジャックコネクタ）
一方、図３に示されるように、ジャックコネクタ２０は、ハウジング２１と複数のジャックユニット２２により構成されており、ジャックユニット２２は、金属板により形成されているＧＮＤ部２３と、樹脂材料等により形成されている絶縁体部２４、電極端子となる複数のジャック端子部２５及び２６を有している。２本のジャック端子部２５及び２６は一対として配置されており、各々のジャック端子部２５及び２６は、異なる電気信号を伝達することが可能である。図では、一例として、ジャック端子部２５及び２６が三対のものが示されている。ＧＮＤ部２３とジャック端子部２５及び２６とは、絶縁体部２４により絶縁されており、ジャック端子部２５及び２６の一方の端部は、前述したプラグ端子部１５及び１６におけるプラグ端子接続部１７及び１８と接続される１本の棒状に形成されたジャック端子接続部２７及び２８を有している。２本のジャック端子部２５及び２６の他方の端部は不図示の電極端子が設けられており、後述する基板２９と接続されている。
【００２４】
（ジャックコネクタユニット）
次に、図４から図６に基づき、より詳細にジャックユニット２２について説明する。ジャックユニット２２に設けられているＧＮＤ部２３は、板状のＧＮＤ本体部３０とＧＮＤ本体部３０と接続された４本のＧＮＤ端子部３１、３２、３３及び３４を有している。ＧＮＤ端子部３１、３２、３３及び３４は、長さの異なる２種類のＧＮＤ端子により構成されており、両側の外側には長さの長いＧＮＤ端子部３１及び３４が形成されており、内側には長さの短いＧＮＤ端子部３２及び３３が形成されている。
【００２５】
このように、ＧＮＤ端子部３１及び３４を長く形成しているのは、静電気の影響等により機器等が破壊されてしまうのを防ぐため、プラグコネクタ１０とジャックコネクタ２０とは、お互いのＧＮＤ部１３及びＧＮＤ部２３同士を最初に電気的に接続させる必要があるからである。これにより、プラグコネクタ２０のＧＮＤ部１３とジャックコネクタ２０におけるＧＮＤ端子３１及び３４とを最初に接続させることができる。
【００２６】
また、プラグコネクタ１０は、ジャックコネクタ２０と接続した際、ジャックコネクタ２０におけるＧＮＤ端子部３１、３２、３３及び３４は、プラグコネクタ１０のＧＮＤ部１３と接続されるが、この際、ＧＮＤ部１３においてスタブ（電流が流れない領域：ＳＴＵＢ）が狭くなるように、ジャックコネクタ２０におけるＧＮＤ端子３２及び３３の長さが短く形成されている。
【００２７】
具体的には、図７及び図８に示す概念図に基づき説明すると、図７に示すように、プラグコネクタ１０と接続されるジャックコネクタのＧＮＤ端子部３３０を同じ長さで形成した場合には、プラグコネクタ１０のＧＮＤ部１３において、電流が流れない領域（スタブ）３３１が広く形成されてしまう。ＧＮＤ部１３において、電流が流れない領域（スタブ）は、電位が不安定であり、この領域の電位は必ずしもＧＮＤ（接地）電位になっているとは限らない。よって、このような領域が広いと、ノイズ等の発生源となり、また、伝送される信号のロスが大きくなってしまうため、電流が流れない領域（スタブ）は、狭い方が好ましい。従って、図８に示すように、ジャックコネクタ２０のＧＮＤ端子部３１及び３４を長く形成し、ＧＮＤ端子部３２及び３３を短く形成することにより、電流が流れない領域（スタブ）１３ａを狭くすることが可能となる。尚、ジャックコネクタ２０のＧＮＤ端子部の長短の配列は、図８に示すような配列でもよく、また、長短のＧＮＤ端子部が交互に配列された構成であってもよい。
【００２８】
次に、ジャックコネクタ２０におけるジャック端子部２５及び２６について説明する。ジャック端子部２５に設けられているジャック端子接続部２７は、図９に示されるように、バネ性を有する棒状部２７ａの先端部分に、プラグ端子接触部１７と接触する接点部２７ｂを有している。尚、ジャック端子部２６は、ジャック端子部２５と同様の構造のものを左右反転させたものである。よって、ジャック端子接続部２８も同様にジャック端子接続部２７とは逆に配置されている。また、ジャック端子接続部２８についても、バネ性を有する棒状部２８ａの先端部分に、プラグ端子接触部１８と接触する接点部２８ｂを有している。
【００２９】
ここで、図１０及び図１１に示すように、ジャック端子接続部２７及び２８は、相互の接点部２７ｂ及び２８ｂが外側に向くように設置されており、棒状部２７ａ及び２８ａにおけるバネ性により、接点部２７ｂ及び２８ｂの間隔が広がったり狭くなったりすることが可能である。また、ジャック端子接続部２７及び２８は、ＧＮＤ端子部３１及び３２の間に配置されており、他のジャック端子接続部及びＧＮＤ端子部についても同様である。
【００３０】
（コネクタの接続）
図１２は、プラグコネクタ１０とジャックコネクタ２０とが接続されている状態を示す。尚、プラグコネクタ１０のプラグ端子部１５及び１６において、プラグ端子接続部１７及び１８の設けられていない側には、基板１９が接続されている。図に示すように、プラグコネクタ１０においてプラグ端子接続部１７及び１８の設けられている面と略直角の面に基板１９が接続されている。尚、基板１９には、プラグコネクタ１０におけるＧＮＤ端子は半田付け等により接続されている。また、ジャックコネクタ２０のジャック端子部２５及び２６において、ジャック端子接続部２７及び２８の設けられていない側には、基板２９が接続されている。図に示す例では、ジャックコネクタ２０においてジャック端子接続部２７及び２８の設けられている面と略直角の面に基板２９が接続されている。尚、基板２９には、ジャックコネクタ２０におけるＧＮＤ端子は半田付け等により接続されている。
【００３１】
図１３及び図１４に示すように、プラグコネクタ１０とジャックコネクタ２０とを接続した際、ジャックコネクタ２０におけるジャック端子接続部２７は、プラグコネクタ１０におけるプラグ端子接続部１７とジャック端子接続部２７の接点部２７ｂにおいて接触し、ジャックコネクタ２０におけるジャック端子接続部２８は、プラグコネクタ１０におけるプラグ端子接続部１８とジャック端子接続部２８の接点部２８ｂにおいて接触している。前述のとおり、ジャック端子接続部２７及び２８は、一対で配置されているものであって、予め接点部２７ｂと２８ｂとの間隔は広くなっており、プラグコネクタ１０とジャックコネクタ２０とを接続した際、棒状部２７ａ及び２８ａのバネ性により、ジャック端子接続部２７及び２８の接点部２７ｂ及び２８ｂにおいて、ともに外側方向に力が働く。この方向には、プラグコネクタ１０のプラグ端子接続部１７及び１８が存在しており、棒状部２７ａ及び２８ａにおけるバネ性により、ジャック端子接続部２７及び２８は、接点部２７ｂ及び２８ｂにおいて、プラグ端子接続部１７及び１８に押しつける方向に力が働く。即ち、プラグ端子接続部１７及び１８は対向して配置されており、対向している内側部分で、ジャック端子接続部２７及び２８は、接点部２７ｂ及び２８ｂにおいて、プラグ端子接続部１７及び１８に押しつける方向に力が働く。これにより、プラグ端子接続部１７及び１８とジャック端子接続部２７及び２８との接続が維持される。尚、プラグコネクタ１０とジャックコネクタ２０とを接続する際には、ジャックコネクタ２０のジャック端子接続部２７及び２８は、プラグコネクタ１０の板状のＧＮＤ部１３に沿って接続させる。即ち、プラグコネクタ１０の板状のＧＮＤ部１３に対しジャック端子接続部２７及び２８を略平行に移動することにより接続させる。これによりジャック端子接続部２７及び２８とＧＮＤ部１３との距離は一定に保たれた状態で接続することができる。
【００３２】
一方、図１５から図１７に示すように、プラグコネクタ１０におけるプラグ端子接続部１７及び１８に接続されるジャック端子接続部３２７及び３２８を各々２本の端子部３２７ａ及び３２７ｂ、３２８ａ及び３２８ｂにより形成した構成のものが考えられる。この構成のものと比べて、本実施の形態におけるジャックコネクタ２０では、高密度にジャック端子接続部２７及び２８を実装することができ、ジャックコネクタ２０を小型化することが可能である。
【００３３】
また、本実施の形態では、ジャック端子接続部２７及び２８の移動する方向が、ＧＮＤ部１３に対し平行であるため、ＧＮＤと信号間の間隔を一定の間隔で保つことができ、特性インピーダンスの整合が容易となる。更に、本実施の形態では、プラグコネクタ１０とジャックコネクタ２０とを接続する際に、対となっているプラグ端子接続部１７及び１８の内側に、対となっているジャック端子接続部２７及び２８が入り込む構造のものであるため、これらとＧＮＤ端子部との距離は接続により変化することはない。よって、特性インピーダンスの整合が容易となる。
【００３４】
更に、プラグコネクタ１０のＧＮＤ部１３において形成される電流が流れない領域（スタブ）１３ａが狭いため、伝送される信号のロスが少ない。
【００３５】
（他のジャックコネクタ）
次に、本実施の形態における他のジャックコネクタについて説明する。上記においては、図８に示すように、ＧＮＤ端子３１、３２、３３及び３４の長さが異なるジャックコネクタ２０について説明したが、本実施の形態におけるジャックコネクタは、ジャック端子接続部２７及び２８が形成されたジャック端子部２５及び２６を有するものであればよい。例えば、図７に示すように、同じ長さのＧＮＤ端子部３３０を有するジャックコネクタであってもよい。
【００３６】
具体的には、ジャックコネクタ４０は、図１８に示されるものであり、図１９に示されるように、ジャックコネクタ４０は、ハウジング２１と複数のジャックユニット４２により構成されており、ジャックユニット４２は、金属板により形成されているＧＮＤ部４３と、樹脂材料等により形成されている絶縁体部２４、電極端子となる複数のジャック端子部２５及び２６を有している。
【００３７】
次に、図２０から図２２に基づき、より詳細にジャックユニット４２について説明する。ジャックユニット４２に設けられているＧＮＤ部４３は、板状のＧＮＤ本体部３００とＧＮＤ本体部３００と接続された４本のＧＮＤ端子部３３０を有している。４本のＧＮＤ端子部３３０は、図８に示されるように、同じ長さで形成されている。
【００３８】
ジャックコネクタ４０では、プラグコネクタ１０のＧＮＤ部１３において形成される電流が流れない領域（スタブ）を狭くすることはできないが、それ以外の効果については、上記と同様の効果を得ることができる。
【００３９】
〔第２の実施の形態〕
次に、第２の実施の形態について説明する。本実施の形態は、第１の実施の形態とは、異なるジャックコネクタを有するコネクタである。尚、本実施の形態においては、第１の実施の形態におけるプラグコネクタ１０と同じプラグコネクタが用いられる。図２３に示されるように、本実施の形態におけるジャックコネクタ１２０は、ハウジング１２１と複数のジャックユニット１２２により構成されている。
【００４０】
図２４から図２６に示すように、ジャックユニット１２２は、金属板により形成されているＧＮＤ部１２３と、樹脂材料等により形成されている絶縁体部１２４、電極端子となる複数のジャック端子部１２５及び１２６を有している。２本のジャック端子部１２５及び１２６は一対として配置されており、各々のジャック端子部１２５及び１２６は、異なる電気信号を伝達することが可能である。図では、一例として、略同一構造のジャック端子部１２５及び１２６が三対のものが示されている。ＧＮＤ部１２３とジャック端子部１２５及び１２６とは、絶縁体部１２４により絶縁されており、ジャック端子部１２５及び１２６の一方の端部は、第１の実施の形態と同様に、プラグ端子部１５及び１６におけるプラグ端子接続部１７及び１８と接続される１本の棒状に形成されたジャック端子接続部１２７及び１２８を有している。２本のジャック端子部１２５及び１２６の他方の端部には、接続端子１４１及び１４２が設けられており、ケーブル１５０における各々の端子１５１及び１５２と接続されている。接続方法は、半田付け、レーザ溶接、超音波溶接等が挙げられる。尚、ＧＮＤ部１２３には、２種類の長さの異なるＧＮＤ端子１３１、１３２、１３３及び１３４が設けられている。
【００４１】
尚、ジャック端子接続部１２７及び１２８は、第１の実施の形態におけるジャック端子接続部２７及び２８に対応するものであり、ＧＮＤ端子１３１、１３２、１３３及び１３４は、第１の実施の形態におけるＧＮＤ端子３１、３２、３３及び３４に対応するものである。
【００４２】
図２７に、プラグコネクタ１０とジャックコネクタ１２０とが接続された状態を示す。この状態では、ジャックコネクタ１２０におけるジャック端子接続部１２７は、プラグコネクタ１０におけるプラグ端子接続部１７とジャック端子接続部１２７の接点部において接触し、ジャックコネクタ１２０におけるジャック端子接続部１２８は、プラグコネクタ１０におけるプラグ端子接続部１８とジャック端子接続部１２８の接点部において接触する。
【００４３】
尚、上記以外の内容については、第１の実施の形態と同様である。
【００４４】
以上、本発明の実施に係る形態について説明したが、上記内容は、発明の内容を限定するものではない。
【符号の説明】
【００４５】
１０    プラグコネクタ
１１    ハウジング
１２    プラグユニット
１３    ＧＮＤ部（接地部）
１３ａ  電流が流れない領域（スタブ）
１４    絶縁体部
１５    プラグ端子部
１６    プラグ端子部
１７    プラグ端子接続部
１８    プラグ端子接続部
１９    基板
２０    ジャックコネクタ
２１    ハウジング
２２    ジャックユニット
２３    ＧＮＤ部（接地部）
２４    絶縁体部
２５    ジャック端子部
２６    ジャック端子部
２７    ジャック端子接続部
２７ａ  棒状部
２７ｂ  接点部
２８    ジャック端子接続部
２８ａ  棒状部
２８ｂ  接点部
２９    基板
３０    ＧＮＤ本体部
３１    ＧＮＤ端子
３２    ＧＮＤ端子
３３    ＧＮＤ端子
３４    ＧＮＤ端子
【図４】
0005554639.tif 000002
【図５】
0005554639.tif 000003
【図６】
0005554639.tif 000004
【図７】
0005554639.tif 000005
【図８】
0005554639.tif 000006
【図９】
0005554639.tif 000007
【図１０】
0005554639.tif 000008
【図１１】
0005554639.tif 000009
【図１３】
0005554639.tif 000010
【図１４】
0005554639.tif 000011
【図１５】
0005554639.tif 000012
【図１６】
0005554639.tif 000013
【図１７】
0005554639.tif 000014
【図１８】
0005554639.tif 000015
【図２０】
0005554639.tif 000016
【図２１】
0005554639.tif 000017
【図２２】
0005554639.tif 000018
【図２３】
0005554639.tif 000019
【図２４】
0005554639.tif 000020
【図２５】
0005554639.tif 000021
【図２６】
0005554639.tif 000022
【図１】
0005554639.tif 000023
【図２】
0005554639.tif 000024
【図３】
0005554639.tif 000025
【図１２】
0005554639.tif 000026
【図１９】
0005554639.tif 000027
【図２７】
0005554639.tif 000028